【手続補正書】
【提出日】平成21年4月14日(2009.4.14)
【手続補正１】
【補正対象書類名】特許請求の範囲
【補正対象項目名】全文
【補正方法】変更
【補正の内容】
【特許請求の範囲】
【請求項１】
手術室に設置されるように構成されたベースと、
前記ベースに支持され、手術室の手術台の上に伸長するように構成されたブームアームと、
前記ブームアームに取り付けられ、手術室で使われる機器を、前記手術台を囲む手術現場に支持するように構成された、多関節付属アームと、
を備えた、医療用ブーム。
【請求項２】
前記ブームアームを前記ベースに取り付ける第１のジョイントであって、前記ブームアームが水平及び・または垂直面内で移動することを可能にする、第１のジョイントと、
前記多関節付属アームを前記ブームアームに取り付ける第２のジョイントであって、前記多関節付属アームが水平及び・または垂直面内で移動することを可能にする、第２のジョイント、
を更に備えた、請求項１に記載の医療用ブーム。
【請求項３】
前記ブームアームは、複数のセグメントを有する多関節ブームアームであり、前記複数のセグメントは、互いに複数のジョイントによって機械的に接続されている、請求項１に記載の医療用ブーム。
【請求項４】
前記複数のセグメントは、各々、前記水平及び・または垂直面内で前記複数のジョイントの周りを回転するよう構成されている、請求項３に記載の医療用ブーム。
【請求項５】
前記セグメントの各々は、互いに取り付けられた複数の構成部分を有し、
前記複数の構成部分は、金属、金属合金、プラスチック、あるいはカーボンファイバのうちの１または複数のタイプの材料から作られている、請求項３に記載の医療用ブーム。
【請求項６】
前記多関節付属アームは、複数のセグメントを有し、前記複数のセグメントは、各々、前記水平及び・または垂直面内で前記複数のジョイントの周りを回転できるように、互いに複数のジョイントによって機械的に接続されている、請求項１に記載の医療用ブーム。
【請求項７】
前記多関節付属アームの前記複数のセグメントは、各々、互いに取り付けられた複数の構成部分を備え、
前記複数の構成部分は、金属、金属合金、プラスチック、あるいはカーボンファイバのうちの１または複数のタイプの材料から作られている、請求項６に記載の医療用ブーム。
【請求項８】
電気信号線、電力線、ガスホース、及び・または流体ホースのうちの１つあるいはそれ以上を、前記ブームアームおよび多関節付属アームを通して経送するための導管を更に備える、請求項１に記載の医療用ブーム。
【請求項９】
前記ベースは、４つまでの前記ブームアームを支持するように更に構成されており、
前記４つまでのブームアームは、各々、前記ベースの上端角部に取り付けられる、請求項１に記載の医療用ブーム。
【請求項１０】
前記機器は、ビデオディスプレイモニター、ビデオカメラ、オーディオ機器、及び前記ベースに収容された電気及び医療機器を前記手術室の医療スタッフが制御できるように構成されたタッチスクリーンモニターのうちの少なくともいずれか一つを含む、請求項１に記載の医療用ブーム。
【請求項１１】
手術室に設置されるように構成されたベースと、
前記ベースに取り付けられ支持されたブームアームと、
機器を前記ブームアームから離して取り付けるための取り付け要素であって、前記機器は、前記ブームアームの位置を操作することによって、手術台を囲む手術現場のまわりに自由度３で位置調整できるように構成されている、取り付け要素と、
を備えた、医療用ブーム。
【請求項１２】
前記ブームアームは、複数のセグメントと、前記ブームアームの前記複数のセグメントを水平及び・または垂直面内で選択的に位置調整することにより、前記機器が前記手術現場のまわりに自由度３で位置調整されることを可能にする複数のジョイントとを備えた多関節ブームアームである、請求項１１に記載の医療用ブーム。
【請求項１３】
前記ブームアームは、前記ブームアームに機械的に結合された付属アームを更に備えており、前記機器は前記付属アームに取り付けられるように構成されている、請求項１１に記載の医療用ブーム。
【請求項１４】
前記付属アームは、ジョイントによって機械的に留め合わされた複数のセグメントを備えた多関節アームであり、
前記付属アームは、水平及び・または垂直面内で位置調整できるように構成されている、請求項１３に記載の医療用ブーム。
【請求項１５】
前記取り付け要素は、以下のタイプの機器：ビデオディスプレイ、ビデオカメラ、オーディオ機器、及び前記ベースに収容された電気及び医療機器を前記手術室の医療スタッフが制御できるように構成されたタッチスクリーンモニターの少なくともいずれか１つを前記ブームアームに取り付けるように構成されている、請求項１１に記載の医療用ブーム。
【請求項１６】
前記ブームアームは、
（ｉ）前記手術現場に対してガスを供給または回収するための１または複数のガス導管と、
（ｉｉ）前記手術現場に対して流体を供給及び・または回収するための１または複数の流体導管と、
（ｉｉｉ）前記取り付け要素に取り付けられた前記機器と、前記ベースに収容された電気機器との間に、電力線及び・または信号線を提供するための１または複数の配線導管と、
の内の１または複数を更に供える、請求項１１に記載の医療用ブーム。
【請求項１７】
前記ベースは、４つまでの前記ブームアームを支持するように更に構成されており、
前記４つまでのブームアームは、各々、前記ベースの上端角部に取り付けられる、請求項１１に記載の医療用ブーム。
【請求項１８】
手術室に設置されるように構成されたベースを提供するステップと、
前記ベースに支持され、手術室の手術台の上に伸長するように構成されたブームアームを提供するステップと、
前記ブームアームに取り付けられ、手術室で使われる機器を、前記手術台を囲む手術現場に支持するように構成された多関節付属アームを提供するステップと、
を含む、方法。
【請求項１９】
前記ブームアームを前記ベースに取り付ける第１のジョイントを提供するステップと、
前記多関節付属アームを前記ブームアームに取り付ける第２のジョイントを提供するステップとを、更に含む、請求項１８に記載の方法。
【請求項２０】
ベースプレートと、前記ベースプレートを前記手術室の床または壁に固定するように構成された留め具部材と、を提供するステップを更に含む、請求項１８に記載の方法。
【請求項２１】
提供された前記ブームアームは、複数のセグメントを有する多関節ブームアームであり、前記複数のセグメントは、互いに複数のジョイントによって各々機械的に接続されている、請求項１８に記載の方法。
【請求項２２】
前記提供された多関節付属アームに結合された取り付けプレートを更に提供し、手術室で使用される前記提供された機器は前記提供された取り付けプレートの上に取り付けられるように構成されており、前記提供された機器は、ビデオディスプレイモニター、ビデオカメラ、オーディオ機器、及び、前記ベースに収容された電気及び医療機器を前記手術室の医療スタッフが制御できるように構成されたタッチスクリーンモニターの内の少なくともいずれか一つを含む、請求項１８に記載の方法。
【請求項２３】
電気信号線、電力線、ガスホース、及び流体ホースのうちの１または複数を、前記ブームアームおよび前記多関節付属アームによって支持された前記機器と、前記ベースとの間に提供するために、前記ブームアームおよび前記多関節付属アームを通る１または複数の導管を提供するステップを更に含む、請求項１８に記載の方法。
【請求項２４】
前記提供されたブームアーム及び前記提供された多関節付属アームは、前記提供された機器が、前記手術室内の前記手術台を囲む前記手術現場において自由度３で位置調整されることを可能にする、請求項１８に記載の方法。
【請求項２５】
前記提供されたブームアーム及び前記提供された多関節付属アームは、前記提供された機器が、前記手術室内の前記手術現場のまわりで水平面及び・または垂直面内で選択的に位置調整されることを可能にする、請求項１８に記載の方法。
【請求項２６】
前記ブームアームに取り付けられ、手術室の手術現場の近くに位置調整された入力タッチモニターを通して、前記ベース内の前記電子機器を制御することを可能にするステップを更に含む、請求項１８に記載の方法。
【請求項２７】
医療用ブームであって、
手術室で使用されるよう構成されたベースであって、上部および下部を有し、前記ベースの前記下部は前記手術室の床に配置されるよう構成され、前記ベースは前記下部から前記上部までベース軸に沿って伸びている、ベースと、
前記ベースに取り付けられた第１のブームアームであって、第１のブームアームジョイントを介して互いに結合した複数の第１のブームアームセグメントを備え、前記ベース軸と垂直な第１の平面内で回転するよう構成され、前記第１のブームアームからの距離が独立的に調節可能である第１のディスプレイモニタを支持する、第１のブームアームと、
前記ベースに取り付けられた第２のブームアームであって、前記第１の平面と実質的に同じ第２の平面内で回転するよう構成され、第２のディスプレイモニタを支持する、第２のブームアームと、
を備える、医療用ブーム。
【請求項２８】
医療用ブームであって、
手術室で使用されるよう構成されたベースであって、下部と、上部と、前記ベースの前記下部を前記ベースの前記上部に結合する中間部とを有し、前記中間部は複数の開放凹部分を有し、前記開放凹部分は、前記医療用ブームの利用中に技術者が前記開放凹部分内の構成要素に容易にアクセスすることを可能にするよう構成されている、ベースと、
前記ベースと結合された複数のブームアームであって、各々、前記ベースによって支持され、前記手術室の手術台の上に伸びるように構成されており、前記複数のブームアームは、前記ベースの前記中間部の前記開放凹部へのアクセスを妨げることなく前記ベースを中心に回転するよう構成され、前記複数のブームアームの１つは、ブームアームジョイントを介して互いに結合した複数のブームアームセグメントを備える、複数のブームアームと、
前記複数のブームアームに取り付けられた複数のディスプレイモニタと、
を備える、医療用ブーム。
【請求項２９】
医療用ブームであって、
手術室で使用されるよう構成されたベースと、
複数のブームアームであって、各々、前記ベースによって支持され、前記手術室の手術台の上に伸びるように構成され、前記ベースの最上部の角に取り付けられており、前記複数のブームアームの１つは、ブームアームジョイントを介して互いに結合した複数のブームアームセグメントを備える、複数のブームアームと、
前記複数のブームアームに取り付けられた複数のディスプレイモニタと、
を備える、医療用ブーム。
【請求項３０】
医療用ブームであって、
手術室に設置されるように構成された固定式ベースと、
複数のブームアームであって、各々、前記固定式ベースによって支持され、前記手術室の手術台の上に伸びるように構成され、ブームアームジョイントによって互いに結合された少なくともそれぞれに関連する一対のブームアームセグメントを有する、複数のブームアームと、
複数の付属アームであって、各々、関連するブームアームに取り付けられており、付属アームジョイントによって互いに結合された少なくともそれぞれに関連する一対の付属アームセグメントを有し、前記手術台を実質的に取り囲む水平面および垂直面内に配置できるそれぞれに関連するディスプレイモニタを支持するよう構成され、前記ディスプレイモニタは、フラットパネルビデオディスプレイモニタである、複数の付属アームと、
を備える、医療用ブーム。
【請求項３１】
医療用ブームであって、
手術室に設置されるように構成された固定式ベースと、
第１のブームアーム端および第２のブームアーム端を有するブームアームであって、前記第１のブームアーム端は、前記固定式ベースに取り付けられて前記固定式ベースによって支持され、前記ブームアームは、ブームアームジョイントによって互いに結合された少なくともそれぞれに関連する一対のブームアームセグメントを有する、ブームアームと、
ビデオ画像を表示できる第１のフラットパネルビデオディスプレイモニタを支持するために前記ブームアームセグメントの内の第１のブームアームセグメントに結合された第１の取り付け要素であって、前記第１のフラットパネルビデオディスプレイモニタは、前記ブームアームおよび前記第１の取り付け要素の位置を操作することによって、前記手術室の手術現場のまわりに自由度３で配置できるように構成されている、第１の取り付け要素と、
ビデオ画像を表示できる第２のフラットパネルビデオディスプレイモニタを支持するために前記ブームアームセグメントの内の第２のブームアームセグメントに結合された第２の取り付け要素であって、前記第２のフラットパネルビデオディスプレイモニタは、前記ブームアームおよび前記第２の取り付け要素の位置を操作することによって、前記手術室の前記手術現場のまわりに自由度３で配置できるように構成されている、第２の取り付け要素と、
を備える、医療用ブーム。